(57)【要約】【課題】  袋体の中に多数の発泡ビーズを封入したクッションにおいて、やわらかで良好な肌触りや、携帯する便利さや、女性が使用するおしゃれ感を出す課題がある。【解決手段】  袋体の中に多数の発泡ビーズを封入したクッションにおいて、袋体を多重のガーゼ袋とし、ガーゼ袋の表面に模様をアレンジし、該袋体の中に角張った多数の発泡ビーズを封入し、袋体の中に発泡ビーズの片寄り防止装置を設けた構造のまくら状クッションを課題を解決する手段として提供する。【選択図】図１
0003138244.tif 000002
【実用新案登録請求の範囲】
【請求項１】
袋体の中に多数の発泡ビーズを封入したクッションにおいて、袋体を多重のガーゼ袋とし、ガーゼ袋の表面に模様をアレンジし、該袋体の中に角張った多数の発泡ビーズを封入し、袋体の中に発泡ビーズの片寄り防止装置を設けた構造のまくら状クッション。
【考案の詳細な説明】
【技術分野】
【０００１】  本考案は、袋体の中に多数の発泡ビーズを封入したまくら状クッションに関する。
【背景技術】
【０００２】  従来、伸張性を有するシート製の袋体の中に多数の発泡ビーズを封入したクッションの技術が知られている（例えば、特許文献１参照）
又、伸縮性を有する布地製の袋体の中に微細な発泡ビーズを入れたクッションの技術が知られている（例えば、特許文献２参照）
【特許文献１】  登録実用新案第３０８１７５０号公報
【特許文献２】  登録実用新案第３１００２０４号公報
【考案の開示】
【考案が解決しようとする課題】
【０００３】  従来のクッションの袋体の技術は、袋体の材料がシートや布から造られているが、ガーゼのようなやんわりふんわりした良好な肌触りが無く、柔らかくてまるい発泡ビーズにはソフトな反発感が無い問題点がある。
又、従来のクッションの袋体の技術は、バックに入れて携帯するには、軽さ及び大きさにおいて問題点がある。
又、従来のクッションの袋体の技術は、おしゃれ感が無く、女性が使用するには今一である問題点がある。
本考案が解決しようとする課題は、以上のような問題点をなくすことである。
【課題を解決するための手段】
【０００４】  袋体の中に多数の発泡ビーズを封入したクッションにおいて、袋体を多重のガーゼ袋とし、ガーゼ袋の表面に模様をアレンジし、該袋体の中に角張った多数の発泡ビーズを封入し、袋体の中に発泡ビーズの片寄り防止装置を設けた構造のまくら状クッションを課題を解決するための手段として提供する。
【考案の効果】
【０００５】  本考案の効果について説明する。
（イ）自動車運転の腰まくら効果
自動車を運転をする時、座席の背のもたれと腰の間にまくら状クッションを挟んで腰まくらとして使用し、まくら状クッションの袋体の表面がガーゼとレースの仕立てのため腰又は背中にしっくりとし、ずり落ちにくい効果がある。
（ロ）ふんわり感とソフト感触のツボ押し効果
従来のクッションの袋体の技術は、袋体の材料がふんわり感の無いシートや布から造られているのに対し、本考案のまくら状クッションは、袋体の材料がガーゼで造られているため、その感触がふんわりした良好な肌触りが得られることと、程よく柔らかく角張った発泡ビーズの肌に触る感触が、ゆるやかな時間の経過によってじわっとくるソフトな反発によるツボ押し作用となり、腰が楽になり疲れにくい効果がある。
（ハ）携帯に便利な効果
袋体のガーゼは重さが軽く、クッション材の発泡ビーズは９８％が空気で共に軽く、サイズは寸法的に小さいサイズのものもあり、軽く小さいものはバック等に入れて携帯するのに便利である効果がある。
（ニ）多様なまくらとしての使用効果
自動車運転の腰まくらとして使用する以外にも、背まくら、首まくら、脇まくら、足まくら等多種多様に使用し、老若男女を問わず使用することができる効果がある。
（ホ）おしゃれ効果
手縫いにした場合、ふんわり感があり、やさしい仕上がりになり、ガーゼを使用することによって肌に気持ち良く白くてきれいで、袋体の表面又は周辺に模様をアレンジし、レースを使うことで、おしゃれ感を演出する使い方の効果がある。
（ヘ）赤ちゃんに使用効果
袋体の表面がガーゼで出来ているので、肌触りが良く、手に持って遊ぶにも軽く、中身が綿に比べてほこりが少なく、カサカサ音がするので喜び、赤ちゃんを遊ばせ、又快適に使わせることができる効果がある。
（ト）寝たきり老人に使用効果
老若年齢を問わず、特に寝たきり老人等の床擦れ防止として、又は体を動かした場合に楽な姿勢にするため、まくら状クッションを腰まくらとして使用することができる効果がある。
（チ）簡単洗濯効果
本考案のまくら状クッションは水に強いので、汚れたら、簡単に手洗いか、ネットに入れて少量の洗剤と洗濯機で洗って使用することができる効果がある。
【考案を実施するための最良の形態】
【０００６】  袋体の中に多数の発泡ビーズを封入したクッションにおいて、袋体を多重のガーゼ袋とし、ガーゼ袋の表面に模様をアレンジし、該袋体の中に角張った多数の発泡ビーズを封入し、袋体の中に発泡ビーズの片寄り防止装置を設けた構造のまくら状クッションを本考案を実施するための最良の形態とする。
【実施例１】
【０００７】  実施例を図１で説明する。
本考案のまくら状クッションは、袋体の中に多数の発泡ビーズを封入したクッションにおいて、袋体１を多重のガーゼ袋とし、カーゼ袋の表面に模様２をアレンジし、該袋体の中に角張った多数の発泡ビーズ４を封入し、袋体の中に発泡ビーズの片寄り防止装置５を設けた構造の実施例である。
【実施例２】
【０００８】  まくら状クッションの外形サイズは、縦約４５ｃｍ横約３０ｃｍの大サイズの実施例、縦約３０ｃｍ横約３０ｃｍの中サイズの実施例、縦約１６ｃｍ横約３０ｃｍの小サイズの実施例、縦約１２ｃｍ横約３０ｃｍの極小サイズの実施例、その他特別注文サイズの実施例がある。
図２のまくら状クッションの袋体の中に入れる発泡ビーズの形は、一辺の寸法が１〜４ｃｍぐらいで、丸形、三角形、四角形、その他多少角張った不規則形の発泡ビーズをクッション材とする実施例がある。
発泡ビーズの量は、ぱんぱんになるように満杯に入れるのではなく、７０％ぐらいが具合が良い実施例がある。
図３〜図６は、まくら状クッション内の発泡ビーズの片寄り移動を防ぐための片寄り防止装置として、何枚も多重に重ねた袋体のうち最も内側のガーゼ袋を中袋３とし、中袋の中に発泡ビーズを入れた後、中袋の裏表を中心線状や格子状に縫い合わせるか、又は、発泡ビーズに糸を通して端を中袋に固定し、全体として片寄りを防ぐ構造の実施例がある。【０００９】  まくら状クッションの使用法について説明する。
（イ）自動車運転の腰まくらとして使用
自動車を運転をする時、座席の背のもたれと腰の間にまくら状クッションを挟んで腰まくらとして使用し、まくら状クッションの袋体の表面のガーゼにレースを縫い付けて少々の摩擦があるため腰又は背中にしっくりとし、ずり落ちにくい腰まくらとして使用する。
（ロ）ふんわり感とソフト感触のツボ押し用として使用
本考案のまくら状クッションは、袋体の材料がガーゼで造られているため、その感触がふんわりした良好な肌触りが得られることと、程よく柔らかく角張った発泡ビーズの肌に触る感触が、ゆるやかな時間の経過によってじわっとくるソフトな反発によりツボ押し作用をするものとして使用する。
（ハ）携帯に便利に使用
袋体のガーゼは重さが軽く、クッション材の発泡ビーズは９８％が空気で共に軽く、サイズは寸法的に小さいサイズのものもあり、軽く小さいものはバック等に入れ携帯用として使用する。
（ニ）多様なまくらとして使用
自動車運転の腰まくらとして使用する以外にも、背まくら、首まくら、脇まくら、足まくら等多種多様に使用し、老若男女を問わず多様性のある使い方をする。
（ホ）おしゃれに使用
手縫いにした場合、ふんわり感があり、やさしい仕上がりになり、ガーゼを使用することによって肌に気持ち良く白くてきれいで、袋体の表面又は周辺に模様をアレンジし、レースを使うことで、おしゃれ感を演出する使い方をする。
（ヘ）赤ちゃんに使用
袋体の表面がガーゼで出来ているので、肌触りが良く、手に持って遊ぶにも軽く、中身が綿に比べてほこりが少なく、カサカサ音がするので喜び、赤ちゃんを遊ばせ、又快適に使わせることができる。
（ト）寝たきり老人に使用
老若年齢を問わず、特に寝たきり老人等の床擦れ防止として、又は体を動かした場合に楽な姿勢にするため、まくら状クッションを腰まくらとして使用する。
（チ）簡単に洗濯をして使用
本考案のまくら状クッションは水に強いので、汚れたら、簡単に手洗いか、ネットに入れて少量の洗剤と洗濯機で洗って使用する。
【実施例３】
【００１０】  図７〜図１４は、本考案のまくら状クッションのガーゼの袋体の表向にアレンジする模様は、プリント模様又はレース模様の縫い付けによる飾りを施し、例えば袋体の裏面に天使の羽模様のレースを縫い付けたりして、おしゃれ感をアレンジする実施例がある。
【図面の簡単な説明】
【００１１】
【図１】本考案の実施例を示す平面一部断面図である。（実施例１）
【図２】本考案の発泡ビーズの色々な形態を示す斜視図である。（実施例２）
【図３】本考案のまくら状クッションの一例を示す断面図である。（実施例２）
【図４】本考案のまくら状クッションの一例を示す断面図である。（実施例２）
【図５】本考案のまくら状クッションの一例を示す断面図である。（実施例２）
【図６】本考案のまくら状クッションの一例を示す断面図である。（実施例２）
【図７】本考案の袋体表面の模様の一例を示す平面図である。（実施例３）
【図８】本考案の袋体表面の模様の一例を示す平面図である。（実施例３）
【図９】本考案の袋体表面の模様の一例を示す平面図である。（実施例３）
【図１０】本考案の袋体表面の模様の一例を示す平面図である。（実施例３）
【図１１】本考案の袋体裏面の模様の一例を示す底面図である。（実施例３）
【図１２】本考案の袋体裏面の模様の一例を示す底面図である。（実施例３）
【図１３】本考案の袋体裏面の模様の一例を示す底面図である。（実施例３）
【図１４】本考案の袋体裏面の模様の一例を示す底面図である。（実施例３）
【符号の説明】
【００１２】  １袋体    ２模様    ３中袋    ４発泡ビーズ    ５片寄り防止装置
【図１】
0003138244.tif 000003
【図２】
0003138244.tif 000004
【図３】
0003138244.tif 000005
【図４】
0003138244.tif 000006
【図５】
0003138244.tif 000007
【図６】
0003138244.tif 000008
【図７】
0003138244.tif 000009
【図８】
0003138244.tif 000010
【図９】
0003138244.tif 000011
【図１０】
0003138244.tif 000012
【図１１】
0003138244.tif 000013
【図１２】
0003138244.tif 000014
【図１３】
0003138244.tif 000015
【図１４】
0003138244.tif 000016